(57)【特許請求の範囲】
【請求項１】
固定接点を有する一対の固定接触子と、
これら一対の固定接触子の前記固定接点に接離可能な一対の可動接点を長手方向の両端に設けた可動接触子と、
これら一対の固定接触子及び前記可動接触子を収納している絶縁体で形成した絶縁ケースと、
前記可動接触子の幅方向の両側に沿って配置され、互いに対向する対向磁極面を同一極性とした一対のアーク消弧用永久磁石と、
前記絶縁ケース内の前記可動接触子の長手方向両端部から幅方向の外方に向う位置に設けたアーク消弧空間と、を備え、
前記一対のアーク消弧用永久磁石は、前記可動接触子の長手方向の外方に向かって発生する第１磁束が、前記固定接点及び前記可動接点の間で発生したアークに対して前記アーク消弧空間に向かう第１ローレンツ力を作用するとともに、
前記一対のアーク消弧用永久磁石の端部において前記対向磁極面及びこの対向磁極面の裏側の磁極面の間に回り込む第２磁束が前記アーク消弧空間の近傍で発生し、前記アーク消弧空間に移動した前記アークに対して前記第１ローレンツ力が作用した方向と異なる方向の第２ローレンツ力を作用するとともに、
前記一対のアーク消弧用永久磁石は、前記絶縁ケースの内部に前記可動接触子の幅方向の両側に沿って配置されていることを特徴とする電磁接触器。
【請求項２】
前記絶縁ケース内の前記アーク消弧空間に連通する位置に、前記第２ローレンツ力の作用により移動した前記アークが入り込むアーク延長空間を設けたことを特徴とする請求項１記載の電磁接触器。
【請求項３】
前記アーク延長空間は、前記絶縁ケースの内壁に沿って前記可動接触子の長手方向に設けられていることを特徴とする請求項２記載の電磁接触器。
【請求項４】
前記一対のアーク消弧用永久磁石と前記絶縁ケースの内壁との間に、前記アーク延長空間を配置したことを特徴とする請求項１乃至３のいずれか１項記載の電磁接触器。
【請求項５】
前記一対のアーク消弧用永久磁石は、前記可動接触子の長手方向に二分割されていることを特徴とする請求項１乃至４の何れか１項記載の電磁接触器。
【発明の詳細な説明】
【技術分野】
【０００１】
本発明は、電流路の開閉を行う電磁接触器に関する。
【背景技術】
【０００２】
電流遮断時にアークが発生する電磁接触器として、例えば特許文献１に記載されているものが知られている。この特許文献１の電磁接触器は、所定間隔を設けて配置されている一対の固定接触子と、これら一対の固定接触子に対して接離自在に配置されている可動接触子と、これら一対の固定接触子及び可動接触子を収納している絶縁材で形成した接点収納ケースと、を備えている。そして、接点収納ケース内の可動接触子の幅方向に沿う対向内周面に、それぞれ互いの対向磁極面を同一極性に着磁した一対のアーク消弧用内側永久磁石を可動接触子に近接させて配置し、接点収納ケースの一対のアーク消弧用内側永久磁石のそれぞれに対向する外周面の位置に、アーク消弧用内側永久磁石と同極性で且つアーク消弧用内側永久磁石より保磁力が大きい一対のアーク消弧用外側永久磁石を配置している。
【０００３】
この電磁接触器によると、一対の固定接触子間に可動接触子が接触している投入状態から釈放状態とする際に、一対の固定接触子と可動接触子との間にアークが発生すると、互いに対向配置されている各対のアーク消弧用内側永久磁石及びアーク消弧用外側永久磁石のＮ極からＳ極に向かう磁束が共に一対の固定接触子と可動接触子との間のアークが発生した位置に対して可動接触子の長手方向に横切ることになり、アークに対してローレンツ力を作用し、可動接触子の長手方向と直交する方向にアークを引き延ばして消弧するようにしている。
【先行技術文献】
【特許文献】
【０００４】
【特許文献１】特開２０１３−９８０５１号公報
【発明の概要】
【発明が解決しようとする課題】
【０００５】
ところで、特許文献１の電磁接触器は、可動接触子の長手方向の両端から長手方向に横切るスペースがアーク消弧空間である。大電流の遮断時には、アーク消弧空間におけるアークの引き延ばしを十分に行なう必要があるが、特許文献１の電磁接触器は、長手方向の両端から接点収納ケースの内壁までの距離が短く、アークの引き延ばしを十分に行なうことができない。アークの引き延ばしを十分に行なうために大きなアーク消弧空間とすると、電磁接触器の大型化の面で問題がある。
そこで、本発明は、小型化を図りながらアーク消弧機能を確保することができる電磁接触器を提供することを目的としている。
【課題を解決するための手段】
【０００６】
上記目的を達成するために、本発明の一態様に係る電磁接触器は、固定接点を有する一対の固定接触子と、これら一対の固定接触子の固定接点に接離可能な一対の可動接点を長手方向の両端に設けた可動接触子と、これら一対の固定接触子及び前記可動接触子を収納している絶縁体で形成した絶縁ケースと、可動接触子の幅方向の両側に沿って配置され、互いに対向する対向磁極面を同一極性とした一対のアーク消弧用永久磁石と、絶縁ケース内の可動接触子の長手方向両端部から幅方向の外方に向う位置に設けたアーク消弧空間と、を備え、一対のアーク消弧用永久磁石は、可動接触子の長手方向の外方に向かって発生する第１磁束が、固定接点及び可動接点の間で発生したアークに対してアーク消弧空間に向かう第１ローレンツ力を作用するとともに、一対のアーク消弧用永久磁石の端部において対向磁極面及びこの対向磁極面の裏側の磁極面の間に回り込む第２磁束がアーク消弧空間の近傍で発生し、アーク消弧空間に移動したアークに対して第１ローレンツ力が作用した方向と異なる方向の第２ローレンツ力を作用するとともに、一対のアーク消弧用永久磁石は、絶縁ケースの内部に前記可動接触子の幅方向の両側に沿って配置されているようにした。
【発明の効果】
【０００７】
本発明に係る電磁接触器によれば、小型化を図りながら大電流の遮断時におけるアーク消弧機能を確保することができる。
【図面の簡単な説明】
【０００８】
【図１】本発明の第１実施形態の電磁接触器を示す断面図である。
【図２】第１実施形態の電磁接触器を構成する接点機構を平面視で示した断面図である。
【図３】接点機構を構成する永久磁石の磁束を模式的に示した図である。
【図４】第１実施形態の電磁接触器を構成する開極開始状態を示した図である。
【図５】本発明の第２実施形態の電磁接触器を構成する接点機構を平面視で示した断面図である。
【図６】本発明の第３実施形態の電磁接触器を構成する接点機構を平面視で示した断面図である。
【発明を実施するための形態】
【０００９】
以下、本発明の実施形態について図面を参照して説明する。なお、各実施形態において、同一構成部分には同一符号を付してその説明は省略する。
［第１実施形態］
図１から図３に示す本発明に係る第１実施形態の電磁接触器１は、接点機構２と、この接点機構２を駆動する電磁石ユニット２０とを備えている。
【００１０】
接点機構２は接点収納ケース４に収納されており、接点収納ケース４は、金属製の角筒体５と、この角筒体５の上端を閉塞する例えばセラミックや合成樹脂材などの絶縁材料により形成した絶縁基板６と、角筒体５の内側に配置され絶縁基板６の下面に接合している有底角筒状の絶縁筒部１８とを備えている。絶縁筒部１８は、絶縁性の例えば合成樹脂を成形することによって形成され、金属製の角筒体５に対するアークの影響を遮断する絶縁機能を有する。
【００１１】
角筒体５は、下部に形成したフランジ部７が電磁石ユニット２０の上部磁気ヨーク２１にシール接合されて固定されている。絶縁基板６には、貫通孔９，１０が所定間隔をあけて形成されている。
接点機構２は、絶縁基板６に導体部１１，１２を介して固定されている一対の固定接触子１３，１４（以下、第１固定接触子１３、第２固定接触子１４と称する）と、これら第１及び第２固定接触子１３，１４に設けた第１及び第２固定接点１３ａ，１４ａに第１及び第２可動接点１５ａ，１５ｂが対向している可動接触子１５とを備えている。
【００１２】
可動接触子１５は、電磁石ユニット２０の可動プランジャ２２に固定された連結軸２３に支持されており、可動接触子１５の中央部に連結軸２３を挿通する貫通孔２４が形成されている。
連結軸２３の長手方向の中央部には外方に突出するフランジ部２５が形成されており、可動接触子１５の貫通孔２４に連結軸２３を上端から挿入することで、可動接触子１５の中央下部をフランジ部２５に当接し、連結軸２３の上部から接触スプリング２６を挿入する。そして、連結軸２３の上端側にＣリング（又はＥリング）２７ａを介して固定されたスプリング受け２７で接触スプリング２６の上端を固定することで、接触スプリング２６が可動接触子１５に対して所定の付勢力を付与している。
【００１３】
電磁石ユニット２０は、側面から見て扁平なＵ字形状の磁気ヨーク２８を有し、この磁気ヨーク２８の底板部の中央部に固定プランジャ２９が配置され、この固定プランジャ２９の外側にスプール３０が配置されている。
スプール３０は、固定プランジャ２９を挿通する中央円筒部３１と、この中央円筒部３１の下端部から半径方向外方に突出する下フランジ部３２と、中央円筒部３１の上端より僅かに下側から半径方向外方に突出する上フランジ部３３とで構成されている。そして、中央円筒部３１、下フランジ部３２及び上フランジ部３３で構成される収納空間に励磁コイル３４が巻装されている。
【００１４】
磁気ヨーク２８の開放端となる上端に固定した上部磁気ヨーク２１には、中央部にスプール３０の中央円筒部３１に対向する貫通孔２１ａが形成されている。
スプール３０の中央円筒部３１内に挿入された固定プランジャ２９の上部には、有底筒状に形成されたキャップ３５で覆われ、このキャップ３５の開放端に半径方向外方に延長して形成されたフランジ部３５ａが上部磁気ヨーク２１の下面にシール接合されている。これによって、キャップ３５が上部磁気ヨーク２１の貫通孔２１ａを介して連通される密封容器が形成される。
【００１５】
キャップ３５の内部に、最下部に復帰スプリング３６を配置した可動プランジャ２２が上下に摺動可能に挿入される。この可動プランジャ２２には、上部磁気ヨーク２１から上方に突出する上端部に半径方向外方に突出する周鍔部２２ａが形成されている。
また、上部磁気ヨーク２１の上面に、環状に形成された駆動用永久磁石３７が可動プランジャ２２の周鍔部２２ａを囲むように固定されている。この駆動用永久磁石３７は上下方向すなわち厚み方向に例えば上端側をＮ極とし、下端側をＳ極とするように着磁されている。
【００１６】
駆動用永久磁石３７の上端面に、駆動用永久磁石３７と同一外形で可動プランジャ２２の周鍔部２２ａの外径より小さい内径の貫通孔３８を有する補助ヨーク３９が固定されており、この補助ヨーク３９の下面に、可動プランジャ２２の周鍔部２２ａが接触している。
そして、密閉された接点収納ケース４にアーク消弧用の様々なガスが封入されている。
【００１７】
接点機構２を構成する可動接触子１５は、導電性のある材料とした図１の左右方向に長尺な導電板であり、長手方向の中央部に連結軸２３が連結されており、長手方向の両端側の下面に、第１可動接点１５ａ及び第２可動接点１５ｂが形成されている。
接点機構２を構成する第１固定接触子１３及び第２固定接触子１４は、図１から図３に示すように、導電性のある材料からなる側面視Ｃ字形状の導電板であり、可動接触子１５の長手方向の両端側に離間し、前述した絶縁基板６に導体部１１，１２を介して固定されている。
【００１８】
第１固定接触子１３は、可動接触子１５の第１可動接点１５ａ側に長手方向の一方の端部に配置されており、可動接触子１５の第１可動接点１５ａに下側から対向し、第１固定接点１３ａを上面に設けた第１導電板部１３ｂと、可動接触子１５から離れた第１導電板部１３ｂの端部から折り曲げられて上方に延在している第２導電板部１３ｃと、第２導電板部１３ｃの上端から折り曲げられて可動接触子１５の上方に延在している第３導電板部１３ｄと、を備えている。
【００１９】
第２固定接触子１４は、可動接触子１５の第２可動接点１５ｂ側に長手方向の他方の端部に配置されており、可動接触子１５の第２可動接点１５ｂに下側から対向し、第２固定接点１４ａを上面に設けた第１導電板部１４ｂと、可動接触子１５から離れた第１導電板部１４ｂの端部から折り曲げられて上方に延在している第２導電板部１４ｃと、第２導電板部１４ｃの上端から折り曲げられて可動接触子１５の上方に延在している第３導電板部１４ｄと、を備えている。
【００２０】
第１固定接触子１３には、アークの発生を規制する合成樹脂製の絶縁カバー１６が装着され、第２固定接触子１３にも、アークの発生を規制する合成樹脂製の絶縁カバー１７が装着されている。これにより、第１固定接触子１３の内周面では、第１固定接点１３ａのみが露出し、第２固定接触子１４の内周面では、第２固定接点１４ａのみが露出している。
【００２１】
また、第１固定接触子１３の第２導電板部１３ｃの内側面及び第２定接触子１４の第２導電板部１４ｃの内側面を覆うように、平面から見てＣ字状の磁性体板１９ａ，１９ｂが装着されている。これにより、第１導電板部１３ｂ、１４ｂを流れる電流によって発生する磁場をシールドすることができる。
可動接触子１５は、釈放状態で、長手方向の両端側に位置する可動接点１５ａ，１５ａと、固定接触子１３，１４の固定接点１３ａ，１４ａが、所定間隔を保って離間した状態となる。
【００２２】
また、可動接触子１５は、投入位置で、可動接点１５ａ，１５ｂが、固定接触子１３，１４の固定接点１３ａ，１４ａに、接触スプリング２６による所定の接触圧で接触するように設定されている。
図２に示すように、接点収納ケース４を構成する角筒体５の外周に、互いに対向する磁極面をＳ極とした第１，第２アーク消弧用永久磁石４０，４１が配置されている。
【００２３】
角筒体５の外側には、第１，第２アーク消弧用永久磁石４０，４１を内壁に固定する金属製の矩形状の磁石支持体６０が配置されており、磁石支持体６０は、接点機構２及び電磁石ユニット２０を覆う電磁接触器カバー５０の内壁に固定されている（図１参照）。
第１アーク消弧用永久磁石４０は、可動接触子１５の幅方向の一方の側面１５ｃに角筒体５及び絶縁筒部１８を介して対向し、可動接触子１５の長手方向側の一方の端部４０ａが一方の可動接点１５ａの近くに位置し、可動接触子１５の長手方向側の他方の端部４０ｂが他方の可動接点１５ａの近くに位置するように磁石支持体６０に固定されている。
【００２４】
第２アーク消弧用永久磁石４１は、可動接触子１５の幅方向の他方の側面１５ｄに角筒体５及び絶縁筒部１８を介して対向し、可動接触子１５の長手方向側の一方の端部４１ａが一方の可動接点１５ａの近くに位置し、可動接触子１５の長手方向側の他方の端部４１ｂが他方の可動接点１５ａの近くに位置するように磁石支持体６０に固定されている。
これら第１及び第２アーク消弧用永久磁石４０，４１は、厚み方向の角筒体５に対向する磁極面がＮ極となるように着磁されている。
【００２５】
また、絶縁筒部１８の底部には、可動接触子１５の幅方向の一方の側面１５ｃに沿って第１固定接点１３ａ及び第２固定接点１４ａの間に第１内壁６１が形成され、可動接触子１５の幅方向の他方の側面１５ｄに沿って第１固定接点１３ａ及び第２固定接点１４ａの間に第２内壁６２が形成されている。
そして、図２に示すように、絶縁筒部１８の内部に、可動接触子１５の長手方向両端部（第１固定接点１３ａ及び第１可動接点１５ａの接続位置、第２固定接点１４ａ及び第２可動接点１５ｂの接続位置）から可動接触子１５の幅方向の外方に向う位置に、第１〜第４アーク消弧空間４２〜４５が設けられている。
【００２６】
また、第１内壁６１と絶縁筒部１８の側壁１８ａとの間に、可動接触子１５の長手方向に延在して第１及び第２アーク消弧空間４２，４３に連通する第１アーク延長空間４６が形成され、絶縁筒部１８の第２内壁６２と絶縁筒部１８の側壁１８ｂとの間に、可動接触子１５の長手方向に延在して第３及び第４アーク消弧空間４４，４５に連通する第２アーク延長空間４７が形成されている。
【００２７】
ここで、図３は、第１アーク消弧用永久磁石４０の磁束の発生状態を模式的に示した図であり、第１アーク消弧用永久磁石４０のＮ極の磁極面から出て裏面のＳ極の磁極面にループ状に流れる磁束のうち外側の磁束をφ１とし、両端部４０ａ，４０ｂにおいてＮ極の磁極面から裏面のＳ極の磁極面に回り込んでいる内側の磁束をφ２とする。なお、第２アーク消弧用永久磁石４１も、Ｎ極の磁極面から出て裏面のＳ極の磁極面にループ状に流れる磁束のうち外側の磁束をφ１とし、両端部４１ａ，４１ｂにおいてＮ極の磁極面から裏面のＳ極の磁極面に回り込んでいる内側の磁束をφ２とする。
【００２８】
そして、図２に示すように、第１アーク消弧用永久磁石４０の外側の磁束φ１は、第１固定接点１３ａと第１可動接点１５ａとの対向部の近くを通過して左右方向の左側に向って大きな磁束密度で横切るとともに、第２固定接点１４ａと第２可動接点１５ｂとの対向部の近くを通過して左右方向の右側に向って大きな磁束密度で横切る。
また、第１アーク消弧用永久磁石４０の両端部４０ａ，４０ｂの内側の磁束φ２は、第１アーク消弧空間４２及び第１アーク延長空間４６の連通位置の近傍でＮ極の磁極面から裏面のＳ極の磁極面に回り込んで発生するとともに、第２アーク消弧空間４３及び第１アーク延長空間４６の連通位置の近傍でＮ極の磁極面から裏面のＳ極の磁極面に回り込んで発生する。
【００２９】
また、第２アーク消弧用永久磁石４１の外側の磁束φ１は、第１固定接点１３ａと第１可動接点１５ａとの対向部の近くを通過して左右方向の左側に向って大きな磁束密度で横切るとともに、第２固定接点１４ａと第２可動接点１５ｂとの対向部の近くを通過して左右方向の右側に向って大きな磁束密度で横切る。
また、第２アーク消弧用永久磁石４１の両端部４１ａ，４１ｂの内側の磁束φ２は、第３アーク消弧空間４４及び第２アーク延長空間４７の連通位置の近傍でＮ極の磁極面から裏面のＳ極の磁極面に回り込んで発生するとともに、第４アーク消弧空間４５及び第２アーク延長空間４７の連通位置の近傍でＮ極の磁極面から裏面のＳ極の磁極面に回り込んで発生する。
【００３０】
次に、第１実施形態の電磁接触器１の動作を、図１から図４を参照して説明する。
この第１実施形態の電磁接触器１は、第１固定接触子１３に正極（＋）端子を接続し、第２固定接触子１４に負極（−）端子を接続している。
今、図１に示すように、電磁石ユニット２０の励磁コイル３４が無励磁状態にあって、電磁石ユニット２０で可動プランジャ２２を下降させる励磁力を発生していない釈放状態にあるものとする。
【００３１】
この釈放状態では、可動プランジャ２２が復帰スプリング３６によって、上部磁気ヨーク２１から離れる上方向に付勢される。これと同時に、駆動用永久磁石３７の磁力による吸引力が補助ヨーク３９に作用し、可動プランジャ２２の周鍔部２２ａが吸引される。このため、可動プランジャ２２の周鍔部２２ａの上面が補助ヨーク３９の下面に接触している。
【００３２】
このため、可動プランジャ２２に連結軸２３を介して連結されている接点機構２の可動接触子１５の第１可動接点１５ａ，第２可動接点１５ｂが、第１固定接触子１３の第１固定接点１３ａ、第２固定接触子１４の第２固定接点１４ａに対して上方に所定距離だけ離間している。このため、第１固定接触子１３及び第２固定接触子１４の間の電流路が遮断状態にあり、接点機構２が開極状態となっている。
【００３３】
この釈放状態から、電磁石ユニット２０の励磁コイル３４に通電すると、この電磁石ユニット２０で励磁力が発生し、可動プランジャ２２を復帰スプリング３６の付勢力及び駆動用永久磁石３７の吸引力に抗して下方に押し下げる。この可動プランジャ２２の下降が、周鍔部２２ａの下面が上部磁気ヨーク２１の上面に当たることで停止する。
このように、可動プランジャ２２が下降することにより、可動プランジャ２２に連結軸２３を介して連結されている可動接触子１５も下降し、接点機構２の可動接触子１５の第１可動接点１５ａ，第２可動接点１５ｂが、第１固定接触子１３の第１固定接点１３ａ、第２固定接触子１４の第２固定接点１４ａに対して接触スプリング２６の接触圧で接触する。
【００３４】
このため、電力供給源の大電流が、第１固定接触子１３、可動接触子１５、第２固定接触子１４を通じて負荷装置に供給される閉極状態となる。
この接点機構２の閉極状態から、負荷装置への電流供給を遮断する場合には、電磁石ユニット２０の励磁コイル３４への励磁を停止する。
励磁コイル３４への励磁を停止すると、電磁石ユニット２０で可動プランジャ２２を下方に移動させる励磁力がなくなることにより、可動プランジャ２２が復帰スプリング３６の付勢力によって上昇し、周鍔部２２ａが補助ヨーク３９に近づくに従って駆動用永久磁石３７の吸引力が増加する。
【００３５】
この可動プランジャ２２が上昇することにより、連結軸２３を介して連結された可動接触子１５が上昇する。これに応じて接触スプリング２６で接触圧を与えているときは、可動接触子１５の第１可動接点１５ａ，第２可動接点１５ｂが第１固定接触子１３の第１固定接点１３ａ、第２固定接触子１４の第２固定接点１４ａに接触している。その後、接触スプリング２６の接触圧がなくなった時点で、可動接触子１５が第１固定接触子１３及び第２固定接触子１４から上方に離間する開極開始状態となる。
【００３６】
このような開極開始状態となると、図２に示すように、可動接触子１５の第１可動接点１５ａと第１固定接触子１３の第１固定接点１３ａとの間に第１アーク（不図示）が発生し、可動接触子１５の第２可動接点１５ｂと第２固定接触子１４の第２固定接点１４ａとの間に第２アーク（不図示）が発生し、これらのアークによって電流の通電状態が継続されることになる。このとき、第１アークの電流方向は、第１固定接点１３ａから第１可動接点１５ａに向う方向であり、第２アークの電流方向は、第２可動接点１５ｂから第２固定接点１４ａに向う方向である。
【００３７】
第１固定接触子１３の第１固定接点１３ａと可動接触子１５の第１可動接点１５ａとの間では、図４に示すように、第１アーク消弧用永久磁石４０の外側の磁束φ１と、第２アーク消弧用永久磁石４１の外側の磁束φ１とが、第１アークの近くを通過して可動接触子１５の長手方向の一方の側面１５ｃの外方に向って発生する。
これにより、第１アークの電流の流れと外側の磁束φ１との関係からフレミング左手の法則により、可動接触子１５の幅方向の一方の側面１５ｃ側の第１アーク消弧空間４２に向う側にローレンツ力Ｆ１が発生する（図４参照）。
【００３８】
このローレンツ力Ｆ１によって、第１固定接点１３ａ及び第１可動接点１５ａの間に発生した第１アークが、第１アーク消弧空間４２に向けて引き延ばされる。
そして、第１アーク消弧空間４２に向けて引き伸ばされた第１アークは、第１アーク消弧用永久磁石４０の内側の磁束φ２が第１アーク消弧空間４２及び第１アーク延長空間４６の連通位置の近傍でＮ極の磁極面から裏面のＳ極の磁極面に回り込んで発生しているので、第１アークの電流の流れと内側の磁束φ２との関係からフレミング左手の法則により、ローレンツ力Ｆ２とは異なる方向の第１アーク延長空間４６に向う側にローレンツ力Ｆ２が発生する。そして、このローレンツ力Ｆ２によって、第１アーク消弧空間４２に引き延ばされた第１アークは、第１アーク延長空間４６に入り込んでさらに引き延ばされる。
【００３９】
また、第２固定接触子１４の第２固定接点１４ａと可動接触子１５の第２可動接点１５ｂとの間では、第１アーク消弧用永久磁石４０の外側の磁束φ１と、第２アーク消弧用永久磁石４１の外側の磁束φ１とが、第２アークの近くを通過して可動接触子１５の長手方向の一方の側面１５ｃの外方に向って発生する。
これにより、第２アークの電流の流れと外側の磁束φ１との関係からフレミング左手の法則により、可動接触子１５の幅方向の一方の側面１５ｃ側の第２アーク消弧空間４３に向う側に大きなローレンツ力Ｆ３が発生する。
【００４０】
このローレンツ力Ｆ３によって、第２固定接点１４ａ及び第２可動接点１５ｂの間に発生した第２アークが、第２アーク消弧空間４３に向けて引き延ばされる。
そして、第２アーク消弧空間４３に向けて引き伸ばされた第２アークは、第１アーク消弧用永久磁石４０の内側の磁束φ２が第２アーク消弧空間４３及び第１アーク延長空間４６の連通位置の近傍でＮ極の磁極面から裏面のＳ極の磁極面に回り込んで発生しているので、第２アークの電流の流れと内側の磁束φ２との関係からフレミング左手の法則により、ローレンツ力Ｆ３とは異なる方向の第１アーク延長空間４６に向う側にローレンツ力Ｆ４が発生する。そして、このローレンツ力Ｆ４によって、第２アーク消弧空間４３に引き延ばされた第２アークは、第１アーク延長空間４６に入り込んでさらに引き延ばされる。
【００４１】
ここで、本発明の絶縁ケースが絶縁基板６及び絶縁筒部１８に対応し、本発明の固定接点が第１固定接点１３ａと第２固定接点１４ａに対応し、本発明の一対の可動接点が第１可動接点１５ａ，第２可動接点１５ｂに対応し、本発明のアーク消弧空間が、第１〜第４アーク消弧空間４２〜４５に対応し、本発明の第１磁束が外側の磁束φ１に対応し、本発明の第１ローレンツ力がローレンツ力Ｆ１，Ｆ３に対応し、本発明の第２ローレンツ力がローレンツ力Ｆ２，Ｆ４に対応し、本発明の第２磁束が内側の磁束φ２に対応し、本発明のアーク延長空間が第１アーク延長空間４６及び第２アーク延長空間４７に対応している。
【００４２】
次に、この第１実施形態の作用効果について説明する。
この第１実施形態によると、開極開始状態において第１固定接点１３ａ及び第１可動接点１５ａの間に第１アークが発生し、第２固定接点１４ａ及び第２可動接点１５ｂの間に第２アークが発生する。
第１アーク消弧用永久磁石４０の外側の磁束φ１と第１アークの電流の流れとの関係によるローレンツ力Ｆ１の作用により第１アーク消弧空間４２に引き延ばされた第１アークは、第１アーク消弧空間４２及び第１アーク延長空間４６の連通位置の近傍で発生する第１アーク消弧用永久磁石４０の内側の磁束φ２と第１アークの電流の流れとの関係によるローレンツ力Ｆ２を受ける。このローレンツ力Ｆ２は第１アーク延長空間４６に向う力であり、第１アークは、第１アーク延長空間４６に入り込んでさらに引き延ばされていく。
【００４３】
また、第１アーク消弧用永久磁石４０の外側の磁束φ１と第２アークの電流の流れとの関係によるローレンツ力Ｆ３の作用により第２アーク消弧空間４３に引き延ばされた第２アークは、第２アーク消弧空間４３及び第１アーク延長空間４６の連通位置の近傍で発生する第１アーク消弧用永久磁石４０の内側の磁束φ２と第２アークの電流の流れとの関係によるローレンツ力Ｆ４を受ける。このローレンツ力Ｆ４は第１アーク延長空間４６に向う力であり、第２アークは、第１アーク延長空間４６に入り込んでさらに引き延ばされていく。
【００４４】
これにより、この第１実施形態では、大電流の遮断時に、第１固定接点１３ａ及び第１可動接点１５ａの間で発生した第１アークが第１アーク消弧空間４２及び第１アーク延長空間４６で十分にひき延ばされ、第２固定接点１４ａ及び第２可動接点１５ｂの間で発生した第２アークが第２アーク消弧空間４３及び第１アーク延長空間４６で十分にひき延ばされるので、アーク消弧機能を確実に発揮することができる。
【００４５】
また、第１アーク延長空間４６及び第２アーク延長空間４７を、絶縁筒部１８の側壁１８ａ，１８ｂに沿って可動接触子１５の長手方向に設けたことで、アークの引き延ばしを十分に行なう構造にしても大きなアーク消弧空間を設ける必要がなく、小型化を図った電磁接触器１を提供することができる。
また、電磁接触器１は、アークが発生すると第１固定接点１３ａ及び第１可動接点１５ａ、第２固定接点１４ａ及び第２可動接点１５ｂの温度が上昇することで固定接点及び可動接点が溶融して金属蒸気が発生する。この際、この第１実施形態では、発生した金属蒸気が第１アーク延長空間４６及び第２アーク延長空間４７に分散することで、第１アーク消弧空間４２、第２アーク消弧空間４３で充満するのを抑制し、第１アーク及び第２アークの消弧性能が低下するのを防止するとともに、第１固定接点１３ａ及び第１可動接点１５ａ、第２固定接点１４ａ及び第２可動接点１５ｂの間の絶縁性能が劣化して再発弧するのを防止することができる。これにより、アーク発生時間の短縮による寿命性能を向上させることができる。
【００４６】
ここで、第１実施形態の電磁接触器１の第１固定接触子１３に負極（−）端子を接続し、第２固定接触子１４に正極（＋）端子を接続すると、開極開始状態において第１固定接点１３ａ及び第１可動接点１５ａの間の第１アークは第３アーク消弧空間４４側に引き延ばされ、第２固定接点１４ａ及び第２可動接点１５ｂの間の第２アークは第４アーク消弧空間４５側に引き延ばされる。
【００４７】
そして、第１アークは、第３アーク消弧空間４４及び第２アーク延長空間４７の連通位置の近傍で発生する第２アーク消弧用永久磁石４１の内側の磁束φ２と第１アークの電流の流れとの関係によるローレンツ力を受け、第２アーク延長空間４７に入り込んでさらに引き延ばされていく。
また、第２アークは、第４アーク消弧空間４５及び第２アーク延長空間４７の連通位置の近傍で発生する第２アーク消弧用永久磁石４１の内側の磁束φ２と第２アークの電流の流れとの関係によるローレンツ力を受け、第２アーク延長空間４７に入り込んでさらに引き延ばされていく。
【００４８】
これにより、大電流の遮断時に、第１固定接点１３ａ及び第１可動接点１５ａの間で発生した第１アークが第３アーク消弧空間４４及び第２アーク延長空間４７で十分にひき延ばされ、第２固定接点１４ａ及び第２可動接点１５ｂの間で発生した第２アークが第４アーク消弧空間４５及び第２アーク延長空間４７で十分にひき延ばされるので、小型化を図りながらアーク消弧機能を確実に発揮することができるとともに、金属蒸気の充満を抑制してアーク発生時間の短縮を図ることができる。
【００４９】
［第２実施形態］
次に、図５は、本発明に係る第２実施形態の電磁接触器１を構成する接点機構８０を平面視で示したものである。なお、図２で示した第１実施形態の接点機構２と同一構成部分には、同一符号を付してその説明は省略する。
この第２実施形態の接点機構８０を構成する第１アーク消弧用永久磁石４０は、可動接触子１５の長手方向の中央位置を分割位置とした２つの永久磁石８１，８２で構成され、第２アーク消弧用永久磁石４１は、可動接触子１５の長手方向の中央位置を分割位置とした２つの永久磁石８３，８４で構成されている。
【００５０】
第１アーク消弧用永久磁石４０を構成する２つの永久磁石８１，８２も可動接触子１５を向く磁極面をＮ極とし、第２アーク消弧用永久磁石４１を構成する２つの永久磁石８３，８４も可動接触子１５を向く磁極面をＮ極として金属製の磁石支持体６０の内壁に固定されている。
【００５１】
この第２実施形態の電磁接触器１によると、開極開始状態において第１固定接点１３ａ及び第１可動接点１５ａの間に第１アークが発生し、第２固定接点１４ａ及び第２可動接点１５ｂの間に第２アークが発生すると、第１アーク消弧用永久磁石４０を構成する永久磁石８１，８２の外側の磁束φ１と第１アークの電流の流れとの関係によるローレンツ力Ｆ１の作用により第１アーク消弧空間４２に引き延ばされた第１アークは、第１アーク消弧空間４２及び第１アーク延長空間４６の連通位置の近傍で発生する第１アーク消弧用永久磁石４０の内側の磁束φ２と第１アークの電流の流れとの関係によるローレンツ力Ｆ２を受ける。このローレンツ力Ｆ２は第１アーク延長空間４６に向う力であり、第１アークは、第１アーク延長空間４６に入り込んでさらに引き延ばされていく。
【００５２】
また、永久磁石８１，８２の外側の磁束φ１と第２アークの電流の流れとの関係によるローレンツ力Ｆ３の作用により第２アーク消弧空間４３に引き延ばされた第２アークは、第２アーク消弧空間４３及び第１アーク延長空間４６の連通位置の近傍で発生する第１アーク消弧用永久磁石４０の内側の磁束φ２と第２アークの電流の流れとの関係によるローレンツ力Ｆ４を受ける。このローレンツ力Ｆ４は第１アーク延長空間４６に向う力であり、第２アークは、第１アーク延長空間４６に入り込んでさらに引き延ばされていく。
【００５３】
このように、この第２実施形態も、大電流の遮断時に、第１固定接点１３ａ及び第１可動接点１５ａの間で発生した第１アークが第１アーク消弧空間４２及び第１アーク延長空間４６で十分にひき延ばされ、第２固定接点１４ａ及び第２可動接点１５ｂの間で発生した第２アークが第２アーク消弧空間４３及び第１アーク延長空間４６で十分にひき延ばされるので、アーク消弧機能を確実に発揮することができる。
【００５４】
なお、第２実施形態の電磁接触器１の第１固定接触子１３に負極（−）端子を接続し、第２固定接触子１４に正極（＋）端子を接続すると、開極開始状態において第１固定接点１３ａ及び第１可動接点１５ａの間の第１アークは第３アーク消弧空間４４側に引き延ばされ、第２固定接点１４ａ及び第２可動接点１５ｂの間の第２アークは第４アーク消弧空間４５側に引き延ばされ、第１アークは、第３アーク消弧空間４４及び第２アーク延長空間４７の連通位置の近傍で発生する第２アーク消弧用永久磁石４１を構成する２つの永久磁石８３，８４の内側の磁束φ２と第１アークの電流の流れとの関係によるローレンツ力を受け、第２アーク延長空間４７に入り込んでさらに引き延ばされていく。
【００５５】
また、第２アークは、第４アーク消弧空間４５及び第２アーク延長空間４７の連通位置の近傍で発生する永久磁石８３，８４の内側の磁束φ２と第２アークの電流の流れとの関係によるローレンツ力を受け、第２アーク延長空間４７に入り込んでさらに引き延ばされていく。
これにより、大電流の遮断時に、第１固定接点１３ａ及び第１可動接点１５ａの間で発生した第１アークが第３アーク消弧空間４４及び第２アーク延長空間４７で十分にひき延ばされ、第２固定接点１４ａ及び第２可動接点１５ｂの間で発生した第２アークが第４アーク消弧空間４５及び第２アーク延長空間４７で十分にひき延ばされるので、小型化を図りながらアーク消弧機能を確実に発揮することができるとともに、金属蒸気の充満を抑制してアーク発生時間の短縮を図ることができる。
【００５６】
［第３実施形態］
次に、図６は、本発明に係る第３実施形態の電磁接触器１を構成する接点機構９０を平面視で示したものである。なお、この第３実施形態も、図１から図４で示した第１実施形態の電磁接触器１と同一構成部分には、同一符号を付してその説明は省略する。
この第３実施形態では、接点収納ケース４を構成する角筒体５の内部に、互いに対向する磁極面をＳ極とした第１，第２アーク消弧用永久磁石４０，４１が配置されている。
絶縁筒部１８の底部には、可動接触子１５の幅方向の一方の側面１５ｃに長尺方向が沿っている矩形状の空間を有する第１磁石収納部９１が形成され、可動接触子１５の幅方向の他方の側面１５ｃに長尺方向が沿っている矩形状の空間を有する第２磁石収納部９２が形成されており、第１磁石収納部９１の空間に第１アーク消弧用永久磁石４０が収納され、第２磁石収納部９２の空間に第２アーク消弧用永久磁石４１が収納されている。
【００５７】
これら第１及び第２アーク消弧用永久磁石４０，４１は、可動接触子１５に対向する磁極面がＮ極となるように着磁されている。
また。絶縁筒部１８の内部の可動接触子１５の長手方向両端部から可動接触子１５の幅方向の外方に向う位置に、第１〜第４アーク消弧空間９３〜９６が設けられている。
また、第１磁石収納部９１の壁と絶縁筒部１８の側壁１８ａとの間に、可動接触子１５の長手方向に延在して第１及び第２アーク消弧空間９３，９４に連通する第１アーク延長空間９７が形成され、第２磁石収納部９２の壁と絶縁筒部１８の側壁１８ｂとの間に、可動接触子１５の長手方向に延在して第３及び第４アーク消弧空間９５，９６に連通する第２アーク延長空間９８が形成されている。
【００５８】
そして、第１アーク消弧用永久磁石４０の外側の磁束φ１は、第１固定接点１３ａと第１可動接点１５ａとの対向部の近くを通過して左右方向の左側に向って大きな磁束密度で横切るとともに、第２固定接点１４ａと第２可動接点１５ｂとの対向部の近くを通過して左右方向の右側に向って大きな磁束密度で横切る。
また、第１アーク消弧用永久磁石４０の両端部４０ａ，４０ｂの内側の磁束φ２は、第１アーク消弧空間９３及び第１アーク延長空間９７の連通位置の近傍でＮ極の磁極面から裏面のＳ極の磁極面に回り込んで発生するとともに、第２アーク消弧空間９４及び第１アーク延長空間９７の連通位置の近傍でＮ極の磁極面から裏面のＳ極の磁極面に回り込んで発生する。
【００５９】
また、第２アーク消弧用永久磁石４１の外側の磁束φ１は、第１固定接点１３ａと第１可動接点１５ａとの対向部の近くを通過して左右方向の左側に向って大きな磁束密度で横切るとともに、第２固定接点１４ａと第２可動接点１５ｂとの対向部の近くを通過して左右方向の右側に向って大きな磁束密度で横切る。
また、第２アーク消弧用永久磁石４１の両端部４１ａ，４１ｂの内側の磁束φ２は、第３アーク消弧空間９５及び第２アーク延長空間９８の連通位置の近傍でＮ極の磁極面から裏面のＳ極の磁極面に回り込んで発生するとともに、第４アーク消弧空間９６及び第２アーク延長空間４７の連通位置の近傍でＮ極の磁極面から裏面のＳ極の磁極面に回り込んで発生する。
【００６０】
次に、第３実施形態の電磁接触器１の動作を説明する。
この第３実施形態の電磁接触器１は、第１固定接触子１３に正極（＋）端子を接続し、第２固定接触子１４に負極（−）端子を接続しているものとする。
この第３実施形態の電磁接触器１は、電力供給源の大電流が、第１固定接触子１３、可動接触子１５、第２固定接触子１４を通じて負荷装置に供給される閉極状態となると、電磁石ユニット２０の励磁コイル３４への励磁を停止する。
【００６１】
励磁コイル３４への励磁を停止すると、電磁石ユニット２０で可動プランジャ２２を下方に移動させる励磁力がなくなることにより、可動プランジャ２２が復帰スプリング３６の付勢力によって上昇し、周鍔部２２ａが補助ヨーク３９に近づくに従って駆動用永久磁石３７の吸引力が増加する。
この可動プランジャ２２が上昇することにより、連結軸２３を介して連結された可動接触子１５が上昇する。これに応じて接触スプリング２６で接触圧を与えているときは、可動接触子１５の第１可動接点１５ａ，第２可動接点１５ｂが第１固定接触子１３の第１固定接点１３ａ、第２固定接触子１４の第２固定接点１４ａに接触している。その後、接触スプリング２６の接触圧がなくなった時点で、可動接触子１５が第１固定接触子１３及び第２固定接触子１４から上方に離間する開極開始状態となる。
【００６２】
このような開極開始状態となると、可動接触子１５の第１可動接点１５ａと第１固定接触子１３の第１固定接点１３ａとの間に第１アーク（不図示）が発生し、可動接触子１５の第２可動接点１５ｂと第２固定接触子１４の第２固定接点１４ａとの間に第２アーク（不図示）が発生し、これらのアークによって電流の通電状態が継続されることになる。
第１固定接触子１３の第１固定接点１３ａと可動接触子１５の第１可動接点１５ａとの間では、図６に示すように、第１アーク消弧用永久磁石４０の外側の磁束φ１と、第２アーク消弧用永久磁石４１の外側の磁束φ１とが、第１アークの近くを通過して可動接触子１５の長手方向の一方の側面１５ｃの外方に向って発生する。
【００６３】
これにより、第１アークの電流の流れと外側の磁束φ１との関係からフレミング左手の法則により、可動接触子１５の幅方向の一方の側面１５ｃ側の第１アーク消弧空間９３に向う側にローレンツ力Ｆ５が発生する。
このローレンツ力Ｆ５によって、第１固定接点１３ａ及び第１可動接点１５ａの間に発生した第１アークが、第１アーク消弧空間９３に向けて引き延ばされる。
【００６４】
そして、第１アーク消弧空間９３に向けて引き伸ばされた第１アークは、第１アーク消弧用永久磁石４０の内側の磁束φ２が第１アーク消弧空間９３及び第１アーク延長空間９７の連通位置の近傍でＮ極の磁極面から裏面のＳ極の磁極面に回り込んで発生しているので、第１アークの電流の流れと内側の磁束φ２との関係からフレミング左手の法則により、ローレンツ力Ｆ５とは異なる方向の第１アーク延長空間９７に向う側にローレンツ力Ｆ６が発生する。そして、このローレンツ力Ｆ６によって、第１アーク消弧空間９３に引き延ばされた第１アークは、第１アーク延長空間９７に入り込んでさらに引き延ばされる。
【００６５】
また、第２固定接触子１４の第２固定接点１４ａと可動接触子１５の第２可動接点１５ｂとの間では、第１アーク消弧用永久磁石４０の外側の磁束φ１と、第２アーク消弧用永久磁石４１の外側の磁束φ１とが、第２アークの近くを通過して可動接触子１５の長手方向の一方の側面１５ｃの外方に向って発生する。
これにより、第２アークの電流の流れと外側の磁束φ１との関係からフレミング左手の法則により、可動接触子１５の幅方向の一方の側面１５ｃ側の第２アーク消弧空間９４に向う側に大きなローレンツ力Ｆ７が発生する。
【００６６】
このローレンツ力Ｆ７によって、第２固定接点１４ａ及び第２可動接点１５ｂの間に発生した第２アークが、第２アーク消弧空間９４に向けて引き延ばされる。
そして、第２アーク消弧空間９４に向けて引き伸ばされた第２アークは、第１アーク消弧用永久磁石４０の内側の磁束φ２が第２アーク消弧空間９４及び第１アーク延長空間９７の連通位置の近傍でＮ極の磁極面から裏面のＳ極の磁極面に回り込んで発生しているので、第２アークの電流の流れと内側の磁束φ２との関係からフレミング左手の法則により、ローレンツ力Ｆ７とは異なる方向の第１アーク延長空間９７に向う側にローレンツ力Ｆ８が発生する。そして、このローレンツ力Ｆ８によって、第２アーク消弧空間９４に引き延ばされた第２アークは、第１アーク延長空間９７に入り込んでさらに引き延ばされる。
【００６７】
ここで、本発明の絶縁ケースが絶縁基板６及び絶縁筒部１８に対応し、本発明の固定接点が第１固定接点１３ａと第２固定接点１４ａに対応し、本発明の一対の可動接点が第１可動接点１５ａ，第２可動接点１５ｂに対応し、本発明のアーク消弧空間が、第１〜第４アーク消弧空間９３〜９６に対応し、本発明の第１磁束が外側の磁束φ１に対応し、本発明の第１ローレンツ力がローレンツ力Ｆ５，Ｆ７に対応し、本発明の第２ローレンツ力がローレンツ力Ｆ６，Ｆ８に対応し、本発明の第２磁束が内側の磁束φ２に対応し、本発明のアーク延長空間が第１アーク延長空間９７及び第２アーク延長空間９８に対応している。
【００６８】
次に、この第３実施形態の作用効果について説明する。
この第３実施形態によると、開極開始状態において第１固定接点１３ａ及び第１可動接点１５ａの間に第１アークが発生し、第２固定接点１４ａ及び第２可動接点１５ｂの間に第２アークが発生する。
第１アーク消弧用永久磁石４０の外側の磁束φ１と第１アークの電流の流れとの関係によるローレンツ力Ｆ５の作用により第１アーク消弧空間９３に引き延ばされた第１アークは、第１アーク消弧空間９３及び第１アーク延長空間９７の連通位置の近傍で発生する第１アーク消弧用永久磁石４０の内側の磁束φ２と第１アークの電流の流れとの関係によるローレンツ力Ｆ６を受ける。このローレンツ力Ｆ６は第１アーク延長空間９７に向う力であり、第１アークは、第１アーク延長空間９７に入り込んでさらに引き延ばされていく。
【００６９】
また、第１アーク消弧用永久磁石４０の外側の磁束φ１と第２アークの電流の流れとの関係によるローレンツ力Ｆ３の作用により第２アーク消弧空間９４に引き延ばされた第２アークは、第２アーク消弧空間９４及び第１アーク延長空間９７の連通位置の近傍で発生する第１アーク消弧用永久磁石４０の内側の磁束φ２と第２アークの電流の流れとの関係によるローレンツ力Ｆ８を受ける。このローレンツ力Ｆ８は第１アーク延長空間９７に向う力であり、第２アークは、第１アーク延長空間９７に入り込んでさらに引き延ばされていく。
【００７０】
これにより、この第３実施形態では、大電流の遮断時に、第１固定接点１３ａ及び第１可動接点１５ａの間で発生した第１アークが第１アーク消弧空間９３及び第１アーク延長空間９７で十分にひき延ばされ、第２固定接点１４ａ及び第２可動接点１５ｂの間で発生した第２アークが第２アーク消弧空間９４及び第１アーク延長空間９７で十分にひき延ばされるので、アーク消弧機能を確実に発揮することができる。
【００７１】
また、第１アーク延長空間９７及び第２アーク延長空間９８を、絶縁筒部１８の側壁１８ａ，１８ｂに沿って可動接触子１５の長手方向に設けたことで、アークの引き延ばしを十分に行なう構造にしても大きなアーク消弧空間を設ける必要がなく、小型化を図った電磁接触器１を提供することができる。
また、この第３実施形態では、絶縁筒部１８の底部に設けた第１磁石収納部９１及び第２磁石収納部９２に第１及び第２アーク消弧用永久磁石４０，４１が収納されているので、接点機構９０の小型化を図ることができる。
【００７２】
そして、この第３実施形態では、第１実施形態の図２で示したような磁石支持体６０が不要となり、角筒体５の外周には、外形寸法の小さな電磁接触器カバー５０が配置されるので、電磁接触器１の小型化を図ることができる。
そして、第３実施形態も、アークが発生すると第１固定接点１３ａ及び第１可動接点１５ａ、第２固定接点１４ａ及び第２可動接点１５ｂの温度が上昇することで固定接点及び可動接点が溶融して金属蒸気が発生するが、発生した金属蒸気が第１アーク延長空間９７及び第２アーク延長空間９８に分散することで、第１アーク消弧空間９３、第２アーク消弧空間９４で充満するのを抑制し、第１アーク及び第２アークの消弧性能が低下するのを防止するとともに、第１固定接点１３ａ及び第１可動接点１５ａ、第２固定接点１４ａ及び第２可動接点１５ｂの間の絶縁性能が劣化して再発弧するのを防止することができる。これにより、アーク発生時間の短縮による寿命性能を向上させることができる。
【００７３】
ここで、第３実施形態の電磁接触器１の第１固定接触子１３に負極（−）端子を接続し、第２固定接触子１４に正極（＋）端子を接続すると、開極開始状態において第１固定接点１３ａ及び第１可動接点１５ａの間の第１アークは第３アーク消弧空間９５側に引き延ばされ、第２固定接点１４ａ及び第２可動接点１５ｂの間の第２アークは第４アーク消弧空間９６側に引き延ばされる。
【００７４】
そして、第１アークは、第３アーク消弧空間９５及び第２アーク延長空間９８の連通位置の近傍で発生する第２アーク消弧用永久磁石４１の内側の磁束φ２と第１アークの電流の流れとの関係によるローレンツ力を受け、第２アーク延長空間９８に入り込んでさらに引き延ばされていく。
また、第２アークは、第４アーク消弧空間９６及び第２アーク延長空間９８の連通位置の近傍で発生する第２アーク消弧用永久磁石４１の内側の磁束φ２と第２アークの電流の流れとの関係によるローレンツ力を受け、第２アーク延長空間９８に入り込んでさらに引き延ばされていく。
【００７５】
これにより、大電流の遮断時に、第１固定接点１３ａ及び第１可動接点１５ａの間で発生した第１アークが第３アーク消弧空間９５及び第２アーク延長空間９８で十分にひき延ばされ、第２固定接点１４ａ及び第２可動接点１５ｂの間で発生した第２アークが第４アーク消弧空間９６及び第２アーク延長空間９８で十分にひき延ばされるので、小型化を図りながらアーク消弧機能を確実に発揮することができるとともに、金属蒸気の充満を抑制してアーク発生時間の短縮を図ることができる。
【符号の説明】
【００７６】
１  電磁接触器
２，８０，９０  接点機構
４  接点収納ケース
５  角筒体
６  絶縁基板
７  フランジ部
９，１０  貫通孔
１１，１２  導体部
１３  第１固定接触子
１３ａ  第１固定接点
１３ｂ  第１導電板部
１３ｃ  第２導電板部
１３ｄ  第３導電板部
１４  第２固定接触子
１４ａ  第２固定接点
１４ｂ  第１導電板部
１４ｃ  第２導電板部
１４ｄ  第３導電板部
１５  可動接触子
１５ａ  第１可動接点
１５ｂ  第２可動接点
１５ｃ  可動接触子の幅方向の一方の側面
１５ｄ  可動接触子の幅方向の他方の側面
１６，１７  絶縁カバー
１８  絶縁筒部
１８ａ，１８ｂ  側壁
１９ａ，１９ｂ  磁性体板
２０  電磁石ユニット
２１  上部磁気ヨーク
２１ａ  貫通孔
２２  可動プランジャ
２２ａ  円鍔部
２３  連結軸
２４  貫通孔
２５  フランジ部
２６  接触スプリング
２７  スプリング受け
２７ａ  Ｃリング
２８  磁気ヨーク
２９  固定プランジャ
３０  スプール
３１  中央円筒部
３２  下フランジ部
３３  上フランジ部
３４  励磁コイル
３５  キャップ
３６  復帰スプリング
３７  駆動用永久磁石
３８  貫通孔
３９  補助ヨーク
４０  第１アーク消弧用永久磁石
４０ａ，４０ｂ  第１アーク消弧用永久磁石の端部
４１  第２アーク消弧用永久磁石
４１ａ，４１ｂ  第２アーク消弧用永久磁石の端部
４２，９３  第１アーク消弧空間
４３，９４  第２アーク消弧空間
４４，９５  第３アーク消弧空間
４５，９６  第４アーク消弧空間
４６，９７  第１アーク延長空間
４７，９８  第２アーク延長空間
５０  電磁接触器カバー
６０  磁石支持体
６１  第１内壁
６２  第２内壁
８１，８２  第１アーク消弧用永久磁石を構成する永久磁石
８３，８４  第２アーク消弧用永久磁石を構成する永久磁石
９０  第８内壁
９１  第３アーク消弧空間
９２  第４アーク消弧空間
９３  第５アーク消弧空間
９４  第６アーク消弧空間
９５  ガス流入空間
Ｆ１，Ｆ２，Ｆ３，Ｆ４，Ｆ５，Ｆ６，Ｆ７，Ｆ８  ローレンツ力
【図１】
0006455171.tif 000002
【図２】
0006455171.tif 000003
【図３】
0006455171.tif 000004
【図４】
0006455171.tif 000005
【図５】
0006455171.tif 000006
【図６】
0006455171.tif 000007